(57)【要約】      （修正有）【課題】巻取軸が傾いたり撓んだりしても、スクリーンがスムーズに、かつゆっくり巻き上がるブラインドを提供する。【解決手段】本発明は、スクリーン１と、スクリーン１を巻き取る管状の巻取軸２と、巻取軸２を回転可能に軸支する一対の支持ブラケット３１，３２と、巻取軸２内に収納されるとともに支持ブラケット３１に一端が固定された固定軸４と、固定軸４と巻取軸２の間を架け渡すように設けられる弾性部材５と、巻取軸２の他端に設けられるロータリーダンパー６とを備えている。巻取軸２の他端は、ロータリーダンパー６を介して支持ブラケット３２に軸支されており、ロータリーダンパー６は、支持ブラケット３２に固定されるダンパー本体と、巻取軸２の他端に連結されて、巻取軸２とともに回転する回転子とを有し、巻取軸２の他端と回転子とが、球面継手を構成している。【選択図】図１
2020084636.tif 000002
【特許請求の範囲】
【請求項１】
巻き取り速度を緩和するよう構成された巻上げ式ブラインドであって、
スクリーンと、
前記スクリーンを巻き取る管状の巻取軸と、
前記巻取軸を回転可能に軸支する一対の支持ブラケットと、
前記巻取軸内に収納されるとともに前記支持ブラケットに一端が固定された固定軸と、
前記固定軸と前記巻取軸の間を架け渡すように設けられて、前記巻取軸が前記固定軸に対して回転することで、その逆方向に前記巻取軸を回転させる向きに弾性力を生じる弾性部材と、
前記巻取軸の他端に設けられるロータリーダンパーと
を備え、
前記巻取軸の他端が、前記ロータリーダンパーを介して前記支持ブラケットに軸支されており、
前記ロータリーダンパーは、前記支持ブラケットに固定されるダンパー本体と、前記巻取軸の他端に連結されて、前記巻取軸とともに回転する回転子とを有し、
前記巻取軸の他端と前記回転子とが、球面継手を構成していることを特徴とする巻上げ式ブラインド。
【請求項２】
前記支持ブラケットは、前記巻取軸の長手方向に貫通する貫通孔を有し、
前記ロータリーダンパーは、前記支持ブラケットの前記長手方向における外側から前記貫通孔に前記回転子を差し込んで前記巻取軸の他端に連結可能に構成されている請求項１に記載の巻上げ式ブラインド。
【発明の詳細な説明】
【技術分野】
【０００１】
この発明は、巻上げ式のブラインドに関し、特に、巻上げ速度の緩和機構を有するブラインドに関する。
【背景技術】
【０００２】
例えば、スーパーマーケットや、コンビニエンスストア等では、夜間に生鮮食品を陳列する保冷棚から冷気が飛散するのを防止するため、保冷棚の前面に巻き取り式のスクリーンを備えたブラインドを設けている。
【０００３】
図６は、従来の巻上げ式ブラインド９００を示しており、巻上げ式ブラインド９００は、巻取軸２に設けたコイルばね５の弾性力に反してスクリーン１を引き出し、スクリーン１の下端の把手１３を保冷棚のフックに係合して広げたスクリーンを固定するよう構成され、該把手を該フックから外すと、コイルばね５の弾性力により自動でスクリーン１を巻き取るように構成されている。
【０００４】
ところが、かかる巻上げ式ブラインド９００は、勢いよく巻き上がるため、操作する人間に傷を負わせる虞があり、また、巻き上がる際の衝撃が繰り返し加わることにより、軸受け９０６や軸端部材９２３が破損する虞があった。
【０００５】
そこで、本発明者は、巻取軸の一端にロータリーダンパーを設けることで、巻き上げ時の勢いを緩和することに想到する。かかる技術は、例えば、特許文献１にも記載されているものである。
【先行技術文献】
【特許文献】
【０００６】
【特許文献１】特開平１０−１５３０６９号公開公報
【発明の概要】
【発明が解決しようとする課題】
【０００７】
しかし、巻き上げ式のブラインドにおいて、巻取軸を巻き上げるコイルばね等は巻き取軸の一端側にのみ設けられ、巻き上げ速度を緩和するロータリーダンパーは、他端側にのみ設けられるため、巻き取軸が傾いたり撓んだりして巻取に支障が出たり、ロータリーダンパーや軸受が破損したりする虞がある。
本発明は、上記課題に鑑みてなされたものであり、巻取軸が傾いたり撓んだりしても、巻取軸がスムーズに回転し、ロータリーダンパーや軸受が破損しにくいブラインドの提供を目的とする。
【課題を解決するための手段】
【０００８】
上記課題を解決するためになされた発明は、巻き取り速度を緩和するよう構成された巻上げ式ブラインドであって、スクリーンと、前記スクリーンを巻き取る管状の巻取軸と、前記巻取軸を回転可能に軸支する一対の支持ブラケットと、前記巻取軸内に収納されるとともに前記支持ブラケットに一端が固定された固定軸と、前記固定軸と前記巻取軸の間を架け渡すように設けられて、前記巻取軸が前記固定軸に対して回転することで、その逆方向に前記巻取軸を回転させる向きに弾性力を生じる弾性部材と、前記巻取軸の他端に設けられるロータリーダンパーとを備え、前記巻取軸の他端が、前記ロータリーダンパーを介して前記支持ブラケットに軸支されており、前記ロータリーダンパーは、前記支持ブラケットに固定されるダンパー本体と、前記巻取軸の他端に連結されて、前記巻取軸とともに回転する回転子とを有し、前記巻取軸の他端と前記回転子とが、球面継手を構成していることを特徴とする。
【０００９】
本発明に係るブラインドは、このように、巻取軸とロータリーダンパーとを球面継手により連結することで、巻取軸の他端側がロータリーダンパーに対して揺動可能となるため巻取軸が傾いたり撓んだりしても、スクリーンの巻き取りをスムーズに行うことができ、ロータリーダンパーや軸受の破損を抑制できる。
【００１０】
また、前記支持ブラケットは、前記巻取軸の長手方向に貫通する貫通孔を有し、前記ロータリーダンパーは、前記支持ブラケットの前記長手方向における外側から前記貫通孔に前記回転子を差し込んで前記巻取軸の他端に連結可能に構成されていることが好ましい。
こうすることで、支持ブラケットの外側からロータリーダンパーを取り外すことができるので、容易にメンテナンスを行える。
【発明の効果】
【００１１】
以上説明したように、本発明の巻上げ式ブラインドによれば、巻取軸が傾いたり撓んだりしても、巻取軸がスムーズに回転し、ロータリーダンパーや軸受が破損しにくい。
【図面の簡単な説明】
【００１２】
【図１】本発明の一の実施形態に係る巻上げ式ブラインドの部分断面平面図である。
【図２】図１のロータリーダンパー近傍を拡大して（ａ）側面視で示した軸垂直断面図、（ｂ）左側面図である。
【図３】図１のロータリーダンパーの回転子を示す（ａ）軸垂直断面図、（ｂ）右側面図である。
【図４】図１の固定軸の他端近傍を拡大して平面視で示した軸垂直断面図である。
【図５】図１の固定軸の一端近傍を拡大して平面視で示した軸垂直断面図である。
【図６】従来のロータリーダンパーを備えない巻上げ式ブラインドを示す部分断面平面図である。
【発明を実施するための形態】
【００１３】
以下、適宜図面を用いながら本発明の一の実施形態について詳述する。図１は、本発明の一の実施形態に係る巻上げ式ブラインド１００を示している。巻上げ式ブラインド１００は、スクリーン１と、スクリーン１を巻き取る管状の巻取軸２と、巻取軸２を回転可能に軸支する一対の支持ブラケット３１，３２と、巻取軸２内に収納されるとともに支持ブラケット３１に一端が固定される固定軸４と、巻取軸２と固定軸４の間を架け渡すように設けられるコイルばね（弾性部材）５と、巻取軸２の他端に設けられるロータリーダンパー６とを主に備える他、巻き取ったスクリーン１を収納するケーシング７を備えている。
【００１４】
スクリーン１は、矩形シートからなるスクリーン本体１１と、スクリーン本体１１の下端縁に設けられるエンドバー１２と、エンドバー１２に固定される把手１３とを備えている。スクリーン１は、上端が巻取軸２に固定されており、把手１３を引くことで引き出され、把手１３を離すとコイルばね５の弾性力により巻取軸２に巻回されてケーシング７に収容される。
【００１５】
巻取軸２は、アルミニウム管からなる巻取軸本体２１の一端側（図１の右側）にコイルばね５を固定するばね固定部材２２が設けられ、同他端側（図１の左側）に、ロータリーダンパー６に係合する制動受部材２３が設けられている。ばね固定部材２２は、図５に示すように、樹脂製の肉厚円筒状部材からなり、外周面に巻取軸本体２１の端部を掛止する環状の凸条２２ａとコイルばね５の一端を係止するばね端溝２２ｂとを備えている。
制動受部材２３は、図２（ａ）に示すように、段差を有する円筒状をなし、巻取軸本体２１の内側に挿入される連結用部２３ａと、連結用部２３ａよりも外径、内径共に大きい制動受部２３ｂとを備えている。制動受部２３ｂの内周面は、円筒状に形成され、後述するロータリーダンパー６の回転子６３に当接するよう構成されている。
【００１６】
一対の支持ブラケット３１，３２は、図２（ｂ）に示すように、山形の支持部３ａと矩形の基部３ｂとが側面視でＬ字に形成されている。
一端側の支持ブラケット３１は、図５に示すように、支持部３ａの内側に、固定軸４を固定支持する固定軸受３ｄを有している。他端側の支持ブラケット３２は、図２（ａ）に示すように、支持部３ａに、ロータリーダンパーの本体部を挿通する円形の貫通孔３ｃを有している。
【００１７】
ケーシング７は、ブラインド設置時の表（図２（ｂ）の左側）の側壁７ａが、同裏側（図２（ｂ）の右側）の側壁７ｂより高い樋状に形成されている。一対の支持ブラケット３１，３２は、ケーシング７の長手方向の両端に基部３ｂを内側にして互いに対向するように取り付けられている
【００１８】
固定軸４は、図１に示すように、アルミニウム管からなる固定軸本体４１と、固定軸本体４１の一端側（図１の右側）に設けられる樹脂製の固定支持部材４２と、固定軸本体４１の他端側に設けられる樹脂製のばね固定部材４３とを備えている。固定支持部材４２は、図５に示すように、固定軸本体４１の一端に挿入されてかしめ固定されるかしめ固定部４２ａ（図５では、破線で表れる）と、円環状の凸条からなりばね固定部材２２を係止する係止条４２ｂと、巻取軸２（ばね固定部材２２）を回転可能に軸支する軸受部４２ｃと、固定支持部材４２を回転不能に支持ブラケット３１に固定するキー部４２ｄとを有している。
【００１９】
コイルばね（弾性部材）５は、固定軸４と略同じ長さに巻回されており、一端側（図１の右側）が、図５に示すように、ばね固定部材２２のばね端溝２２ｂに固定されている。コイルばね５の他端側（図５の左側）は、固定軸本体４１の他端側（図１の左側）の端縁に設けた切り込み４１ａに差し込まれてかしめられ、さらにキャップ状のばね固定部材４３をコイルばね５の上へ被着することで固定軸本体４１に固定されている（図４参照）。このように、コイルばね５は、一端が巻取軸２に固定され、他端が固定軸４に固定されており、特許請求の範囲でいうところの固定軸４と巻取軸２の間を架け渡すように設けられた状態をなしている。コイルばね５は、巻取軸２が固定軸４に対して回転することで、その逆方向に巻取軸を回転させる向きに弾性力を生じる。
【００２０】
固定軸４は、図１に示すように、コイルばね５を環装した状態で巻取軸２の内部に収容されている。固定軸４の固定支持部材４２は、図５に示すように、ばね固定部材２２に挿通され、ばね固定部材４３は、図４に示すように、外周面が巻取軸本体２１の内周面に摺接している。
【００２１】
ロータリーダンパー６は、図２に示すように、ダンパー本体６１と、ダンパー本体６１から延出する回転軸６２と、回転軸６２の先端に嵌合される回転子６３と、ダンパー本体６１から下方へ延出してダンパー本体６１を支持ブラケット３２に固定する板状の取付け用ブラケット６４とを備えている。ダンパー本体６１の内部には、不図示のダンピング機構が設けられており、回転子６３の回転を抑制するよう構成されている。ロータリーダンパー６としては、特に限定されないが、例えば、オイル式のものが用いられる。
【００２２】
回転子６３と制動受部材２３は、球面継手を構成する。即ち、図２（ａ）に示すように、回転子６３の側周面からなる制動面６３ａは、制動受部材２３における制動受部２３ｂの内周面からなる制動受面２３ｃに伝動可能に当接している。制動受面２３ｃが円筒形状に形成される一方で、制動面６３ａは球面に形成されており、巻取軸２が傾いたり撓んだりして、制動受面２３ｃの軸芯が制動面６３ａ（回転軸６２）の軸芯に対し傾斜した場合であっても、制動面６３ａは、制動受面２３ｃに対する当接部位を移動させながら、制動受面２３ｃに対し制動トルクを伝達することができる。
【００２３】
ロータリーダンパー６は、図２（ａ）に示すように、ダンパー本体６１を支持ブラケット３２の貫通孔３ｃに対し、巻取軸２の長手方向における支持ブラケット３２の外側（図２（ａ）の左側）から差し込み、取付け用ブラケット６４により支持ブラケット３２にねじ固定される。このように、ロータリーダンパー６は、支持ブラケット３２に外側から取り付け取外しができるので、メンテナンスが容易である。
【００２４】
次に、本実施形態に係る巻上げ式ブラインド１００の使用方法、及び各部の作用・効果について説明する。
巻上げ式ブラインド１００を使用する場合には、把手１３を引き下ろしてスクリーン１を引き出す。スクリーン１を引き出すと、スクリーン１が巻回されていた巻取軸２が、固定支持部材４２、及びロータリーダンパー６の回転軸６２回りに回転する。すると、巻取軸２のばね固定部材２２に固定されたコイルばね５の一端側の端部が、巻取軸２と共に回転する。一方で、コイルばね５の他端側の端部は、固定軸４の他端側に回転不能に固定されているので、コイルばね５は、捩れるように変形する。こうしてコイルばね５は、弾性力を発生し、スクリーン１はこれに抗して引き出されることになる。把手１３をフック等に係止することで、スクリーン１は、広げた状態に維持される。
【００２５】
スクリーン１を収納する場合は、把手１３をフック等から脱着する。すると、コイルばね５が捻じれ変形による弾性力により元の形状に復帰しようとして、巻取軸２を、スクリーン１を広げる際とは反対方向に回転させ、スクリーン１は巻取軸２に巻き上げられる。
【００２６】
この際、巻取軸２の回転トルクが、制動受部材２３の制動受面２３ｃ、ロータリーダンパー６の制動面６３ａ、回転軸６２を介してダンパー本体６１に伝達される。ダンパー本体６１は、この回動トルクに対する反作用として制動トルクを発生し、これを逆にロータリーダンパー６の回転軸６２、制動面６３ａ、及び制動受面２３ｃを介して巻取軸２に伝達する。こうして、巻取軸２の巻き上げ速度が緩和される。
【００２７】
ここで、巻取軸２は、その内部構造の不均衡や、スクリーン１の重みや慣性力等により傾斜や撓みを生じることがある。しかし、本実施形態の巻上げ式ブラインド１００では、巻取軸２が、ロータリーダンパー６と係合する位置で傾斜した場合であっても、ロータリーダンパー６の回転子６３はその制動面６３ａが球面状に設けられているので、巻取軸２の制動受部材２３の制動受面２３ｃが制動面６３ａに対し転動して、制動面６３ａと、制動受面２３ｃの当接が維持される。こうして、巻取軸２は、傾斜したり撓んだりした場合であってもスムーズに、かつ速度を緩和しながら、スクリーン１を巻取ることができる。
【００２８】
本発明の巻上げ式ブラインドは、上記の実施形態に限られるものではなく、例えば、制動受面２３ｃは、制動面６３ａに合わせて球面状としてもよく、あるいは、制動面６３ａを円筒形状にして、制動受面２３ｃを内側に突出する凸球面状にしてもよい。ロータリーダンパー６は、支持ブラケット３２の内側から取り付けるようにしてもよい。また、ケーシング７は省略することができる。弾性部材は、コイルばねに限らず、ゼンマイやゴム等公知のものを適宜に利用できる。
【符号の説明】
【００２９】
巻上げ式ブラインド１００，９００
スクリーン１
巻取軸２
支持ブラケット３１，３２
固定軸４
コイルばね（弾性部材）５
ロータリーダンパー６
ダンパー本体６１
回転子６３
貫通孔３ｃ
【図１】
2020084636.tif 000003
【図２】
2020084636.tif 000004
【図３】
2020084636.tif 000005
【図４】
2020084636.tif 000006
【図５】
2020084636.tif 000007
【図６】
2020084636.tif 000008